(57)【要約】【課題】加湿器に装着されて周囲の濡れを防止する加湿器の吹出口延長装置を提供する。【解決手段】加湿器８０に装着される加湿器の吹出口延長装置１であって、加湿器８０の吹出口８２に取り付けられるベース部２と、ベース部２に連続して接続され、加湿器８０の吹出口８２を高さ方向に延長する筒部３と、を備えている。また、筒部３内に、ファンをさらに備えることが好ましい。さらに、ベース部２は、重錘によって形成されることも好ましい。【選択図】図１
2016138683.tif 000002
【特許請求の範囲】
【請求項１】
加湿器の吹出口に取り付けられるベース部と、
前記ベース部に連続して接続され、前記加湿器の吹出口を高さ方向に延長する筒部と、を備えることを特徴とする、加湿器の吹出口延長装置。
【請求項２】
前記筒部内に、ファンをさらに備えることを特徴とする、請求項１に記載された加湿器の吹出口延長装置。
【請求項３】
前記ベース部は、重錘によって形成されることを特徴とする、請求項１又は請求項２に記載された加湿器の吹出口延長装置。
【請求項４】
前記ベース部の下面には、前記加湿器の複数の外径に対応するステップ部が設けられることを特徴とする、請求項１乃至請求項３のいずれか一項に記載された加湿器の吹出口延長装置。
【請求項５】
前記筒部は、前記筒部の内面に結露した水を、前記吹出口に戻すための漏斗部を有することを特徴とする、請求項１乃至請求項４のいずれか一項に記載された加湿器の吹出口延長装置。
【請求項６】
弾性を有する材料から形成され、断面視で渦巻形状を呈するように巻かれて形成されたロール部を備えることを特徴とする、加湿器の吹出口延長装置。
【発明の詳細な説明】
【技術分野】
【０００１】
本発明は、加湿器の吹出口を高さ方向に延長するために、加湿器に装着される加湿器の吹出口延長装置に関するものである。
【背景技術】
【０００２】
従来、小型の加湿器では、加湿空気の風向を上方又は前方に切り替える切替手段を吹出口の内部に備えるものが知られている。ところが、このような切替手段を備える加湿器では、上方又は前方にのみ加湿空気を吹き出すようになっているため、眼や頬、顎などのフェイスラインに加湿空気を当てることが困難であった。
【０００３】
そのため、例えば、特許文献１には、顔面方向の角度が付いた風向板を備えることで、風向板によって所定方向へ所定風量の加湿空気を送風することができる小型加湿装置が開示されている。しかしながら、特許文献１の小型加湿装置では、装置内部に大掛かりな送風手段が必要となるうえ、さらに風向板を備えることも必要であった。
【先行技術文献】
【特許文献】
【０００４】
【特許文献１】特開２０１２−３２０７５号公報
【発明の概要】
【発明が解決しようとする課題】
【０００５】
一方で、安価で簡易な小型の加湿器に対する需要も多い。ところが、簡易な小型の加湿器は送風能力が弱いため、加湿空気が拡散せずに周囲の床面や書類などが濡れてしまう、という問題があった。
【０００６】
そこで、本発明は、加湿器に装着されて周囲の濡れを抑制する加湿器の吹出口延長装置を提供することを目的としている。
【課題を解決するための手段】
【０００７】
前記目的を達成するために、本発明の加湿器の吹出口延長装置は、加湿器の吹出口に取り付けられるベース部と、前記ベース部に連続して接続され、前記加湿器の吹出口を高さ方向に延長する筒部と、を備えることを特徴とする。
【発明の効果】
【０００８】
このように、本発明の加湿器の吹出口延長装置は、加湿器の吹出口に取り付けられるベース部と、ベース部に連続して接続され、加湿器の吹出口を高さ方向に延長する筒部と、を備えている。このような構造によれば、加湿空気がより広い範囲に拡散するようになるため、周囲の濡れを抑制することができる。
【図面の簡単な説明】
【０００９】
【図１】実施例１の加湿器の吹出口延長装置の使用状態を説明する斜視図である。
【図２】実施例１の加湿器の吹出口延長装置の断面図である。
【図３】実施例１の加湿器の吹出口延長装置の別形態のベース部について説明した断面図である。
【図４】実施例２の加湿器の吹出口延長装置の斜視図である。
【図５】実施例２の加湿器の吹出口延長装置の使用状態を説明する斜視図である。
【発明を実施するための形態】
【００１０】
以下、本発明の実施の形態について図面を参照して説明する。
【実施例１】
【００１１】
（構成）
まず、図１を用いて本実施例の加湿器の吹出口延長装置１を装着した状態の加湿器８０の全体構成を説明する。加湿器８０は、図１に示すように、ペットボトル８１が上下逆にされて装着されるタイプの小型の加湿器８０である。加湿器８０は、卓上に載置されているため周囲には書類９０が置かれている。
【００１２】
そして、本実施例の加湿器の吹出口延長装置１は、加湿器８０の吹出口８２を取り囲むように加湿器８０上に設置されている。この加湿器の吹出口延長装置１は、ベース部２と筒部３とを備えており、下部に配置されたベース部２が、加湿器８０に載置されている。
【００１３】
ベース部２は、金属などの密度の大きい材料から作られる円環形状の重錘２０であり、筒部３の下部に接着されて一体化されている。したがって、加湿器の吹出口延長装置１全体の重心を低くし、高い位置まで突き出ている筒部３に不意に触った場合でも、全体を倒れにくくしている。
【００１４】
また、ベース部２は、図３に示すように、上述した重錘２０ではなく、合成樹脂などによってステップ部２１として形成することもできる。ステップ部２１は、複数の内径を有する円形の蓋を複数（例えば、３つ）重ねるようにして形成される。換言すると、ステップ部２１の内面には、大中小の３つの径の円筒面及び円盤面から成る階段構造が形成される。これによって、さまざまな外径の円柱状の加湿器８０に嵌合するようになる。
【００１５】
筒部３は、合成樹脂などの軽い材料によって形成される所定の長さ（例えば、約３０ｃｍ）の円筒であり、吹出口８２の内径よりも大きい内径を有している。したがって、吹出口８２から吹き出した加湿空気は、筒部３の下端から入り、筒部３内を上昇して筒部３の上端から出ていくことになる。
【００１６】
そして、図２に示すように、本実施例の加湿器の吹出口延長装置１は、ベース部２と筒部３に加え、筒部３内の下方寄りに配置された漏斗部４と、筒部３内の上方寄りに配置されたファン５とをさらに備えている。
【００１７】
漏斗部４は、合成樹脂などによって漏斗状に形成される。漏斗部４の上部の外径は筒部３の内径と略同一にされ、下部の外径は吹出口８２の内径と略同一にされる。漏斗部４は、筒部３に接着して一体化することもできるが、接着せずに筒部３内を上下にスライド移動できるように構成することもできる。漏斗部４は、筒部３の内面に隙間なく密着しているため、筒部３内に結露した水分を吹出口８２を通じて加湿器８０に戻すようになっている。
【００１８】
ファン５は、いわゆるファンモータであり、円筒状のハブ・ケーシング間の環状流路にあるプロペラによって空気を圧送し、加湿空気を上方向に付勢する。なお、ファン５には、交流又は直流の電源が接続されている（図示せず）。ファン５には、ソーラーパネルが接続されることが好ましく、その場合は筒部３の外面にソーラーパネルを貼りつけることが好ましい。
【００１９】
（作用・効果）
次に、本実施例の加湿器の吹出口延長装置１の作用・効果について説明する。
【００２０】
（１）上述したように、本実施例の加湿器の吹出口延長装置１は、加湿器８０の吹出口８２に取り付けられるベース部２と、ベース部２に連続して接続され、加湿器８０の吹出口８２を高さ方向に延長する筒部３と、を備えることを特徴としている。このため、筒部３の上端から出る加湿空気が、より広い範囲に拡散するようになるため、周囲の濡れを抑制することができる。
【００２１】
（２）また、筒部３内に、ファン５をさらに備えることで、加湿空気の風速を増加させて、より広い範囲に加湿空気を拡散させることができるようになる。さらに、筒部３内に結露する水の量を減少させることができる。なお、筒部３の外面にソーラーパネルを貼りつけることでファン５の電源とすることが好ましい。
【００２２】
（３）さらに、ベース部２は、重錘２０によって形成されることで、加湿器の吹出口延長装置１全体の重心を低くできるため、不意の接触によっても加湿器の吹出口延長装置１又は加湿器８０自体が倒れにくくなる。
【００２３】
（４）そして、ベース部２の下面には、加湿器８０の複数の外径に対応するステップ部２１が設けられることで、様々な外径の円柱状の加湿器８０に嵌合する、倒れにくい加湿器の吹出口延長装置１となる。
【００２４】
（５）また、筒部３は、筒部３の内面に結露した水を、吹出口８２に戻すための漏斗部４を有することで、筒部３の内面に結露した水が外部に漏れて周囲を濡らすことを防止できる。
【実施例２】
【００２５】
以下、図４、５を用いて、実施例１とは別の形態の加湿器の吹出口延長装置１Ａについて説明する。なお、前記実施の形態で説明した内容と同一乃至均等な部分の説明については同一符号を付して説明する。
【００２６】
まず、構成について説明する。本実施例の加湿器の吹出口延長装置１Ａは、図４、５に示すように、合成樹脂などの矩形の薄板をロール状に巻いて形成されるロール部１０によって主に構成される。
【００２７】
ロール部１０は、合成樹脂などの弾性を有する材料から形成され、断面視で渦巻形状を呈するように形成される。ロール部１０の下部には、加湿器８０のインジケータランプ等を見やすくするための小窓状の透明部１１が設けられる。なお、図示しないが、ロール部１０内面の下縁近傍に、合成ゴムなどの滑り止め部材が設置されることが好ましい。
【００２８】
次に、作用・効果について説明する。本実施例の加湿器の吹出口延長装置１Ａは、弾性を有する材料から形成され、断面視で渦巻形状を呈するように巻かれて形成されたロール部１０を備えている。このような構成によれば、加湿器８０に取り付けられることで、ロール部１０の上端から出る加湿空気が、より広い範囲に拡散するようになるため、周囲の濡れを抑制することができる。
【００２９】
さらに、ロール部１０は、開くように弾性変形することで、きわめて単純な構造でありつつも、様々な外径を有する円柱状の加湿器８０の外面に隙間なく密着・固定することができる。
【００３０】
なお、この他の構成および作用効果については、実施例１と略同様であるため説明を省略する。
【００３１】
以上、図面を参照して、本発明の実施例を詳述してきたが、具体的な構成は、この実施例に限らず、本発明の要旨を逸脱しない程度の設計的変更は、本発明に含まれる。
【００３２】
例えば、実施例２では、加湿器８０の上縁近傍を取り囲むように設置される加湿器の吹出口延長装置１Ａについて説明したが、これに限定されるものではなく、加湿器８０全体を取り囲み、かつ、加湿器８０の上方まで伸びるような長さの加湿器の吹出口延長装置１Ａとすることもできる。
【００３３】
また、実施例１では、漏斗部４の下端が、吹出口８２に挿入される例について説明したが、これに限定されるものではない。例えば、漏斗部４の下端にゴム製などのパッキンを有して加湿器８０との密着性を高めるように構成することもできる。
【符号の説明】
【００３４】
１          加湿器の吹出口延長装置
２          ベース部
２０        重錘
２１        ステップ部
３          筒部
４          漏斗部
５          ファン
１Ａ        加湿器の吹出口延長装置
１０        ロール部
１１        透明部
８０        加湿器
８２        吹出口
９０        書類
【図１】
2016138683.tif 000003
【図２】
2016138683.tif 000004
【図３】
2016138683.tif 000005
【図４】
2016138683.tif 000006
【図５】
2016138683.tif 000007